(57)【要約】【課題】操作片の押圧操作において、操作片の傾きが生じない化粧料容器を提供する。【解決手段】容器本体と蓋体との係合を解除しうる操作片３とを備えた化粧料容器において、上記操作片３の容器本体側に、左右一対の線状ばね片３１を、横方向に揃えて相対向する根元側を固定し、左右一対のばね片３１の根元部と根元部との間に距離をおくことによって、操作片３への押圧力に対して、上記ばね片３１の両根元部の２箇所で支持できるようにし、操作片３に傾きが生じないようにしている。【選択図】図３
2004261503.tif 000002
【特許請求の範囲】
【請求項１】
容器本体と、この容器本体の後端部にヒンジ連結され前端部で上記容器本体と係合する蓋体と、上記容器本体の前端部に設けられ上記容器本体と蓋体との係合を解除しうる操作片とを備えた化粧料容器であって、上記操作片の容器本体側部に、左右一対の線状弾性体を、横方向に揃えて相対向する根元側を固着し、上記弾性体の先端を上記容器本体の前端部に当接させて上記弾性体を撓ませることによって、上記操作片を手前側に付勢させた状態で進退自在にしていることを特徴とする化粧料容器。
【請求項２】
上記弾性体が、略クランク状に形成されており、その根元側が上記操作片に固着され、上記略クランク状の先端が上記容器本体の前端部に当接されている請求項１記載の化粧料容器。
【請求項３】
上記左右一対の弾性体の根元部と根元部との間の距離が１０ｍｍ以上に設定されている請求項１または２記載の化粧料容器。
【請求項４】
上記容器本体の前端部に左右一対のガイド部を所定間隔で突設させ、上記操作片の容器本体側の左右の端部側にそれぞれ上記各ガイド部の側面に摺動して操作片を進退させるときのガイドとなるガイドリブを形成している請求項１〜３のいずれか一項に記載の化粧料容器。
【発明の詳細な説明】
【０００１】
【発明の属する技術分野】
本発明は、コンパクト等の化粧料容器に関するものである。
【０００２】
【従来の技術】
従来から、コンパクト等の化粧料容器としては、図８に示すようなのものが汎用されている。このコンパクト容器は、化粧料を収容する容器本体６０と、この容器本体６０を蓋する蓋体７０と、容器本体６０の前端部に進退自在に取り付けた操作片８０とを備えており、開蓋時には、操作片８０を押圧し奥側に移動させ、それによって蓋体７０の前端部を持ち上げることにより、容器本体６０の前端部に設けた係合突条６１と蓋体７０の前端部に設けた係合爪７１との係合を解除するようになっている。このような化粧料容器では、外観等を考慮して、操作片８０は小さく形成されている。一般には、若い女性等が指先で簡単に押圧することができるよう、操作片８０の横幅は１０〜１５ｍｍ程度に設定されている。
【０００３】
しかしながら、上記化粧料容器のように、操作片８０が小さい場合には、高齢の女性等では、確実に操作片を押圧して開蓋することができない。そこで、本出願人は、図８に示す操作片８０に代えて、図９に示すような横幅が幅広の操作片９０を備えた化粧料容器をすでに提案している（特許文献１参照）。図９に示す操作片９０において、図の下側が手前側に、ばね片９１側が奥側となって容器本体（図示せず）の取付凹部に取り付けられる。
【０００４】
【特許文献１】
特開２００２−５８５２５号公報
【０００５】
【発明が解決しようとする課題】
しかしながら、上記特許文献１の化粧料容器では、操作片９０が横方向に幅広であるため、操作片９０への指での押圧部が操作片９０の中央部から外れることがよくあった。例えば、操作片９０の右側部分を指で押圧すると、その右側部分が左側部分よりも大きく後方（容器本体側）へ移動し、操作片９０が傾き易くなっていた。そこで、本発明者は、その原因を究明した。その結果、つぎのようなことをつきとめた。すなわち、押圧されて後方へ移動した操作片９０を元の位置に戻すようにするために、操作片９０の後側（容器本体側）には、左右一対の線状のばね片９１が操作片９０と一体に形成されているが、そのばね片９１は、根元側が操作片９０の後側中央部の１箇所に固着され、その中央部から左右の斜め後方に向かって拡がって延設されており、その各先端は、二点鎖線で示す取付凹部の奥面に当接するようになっている。そして、操作片９０への押圧力（矢印Ａ）に対しては、上記ばね片９１の根元（中央部）の１箇所で支持するようになっている（矢印Ｂ）。このため、操作片９０への押圧部が中央部から左右のどちらかに少しでも外れると、操作片９０は、上記ばね片９１の根元（中央部）を中心にして傾くようになる。しかも、操作片９０の横幅が幅広であれば、操作片９０への押圧部が中央部から左右のどちらかに外れる確率が高くなり、操作片９０が傾く頻度も多くなる。
【０００６】
本発明は、このような知見に鑑みなされたもので、操作片の押圧操作において、操作片の傾きが生じない化粧料容器の提供をその目的とする。
【０００７】
【課題を解決するための手段】
上記の目的を達成するため、本発明の化粧料容器は、容器本体と、この容器本体の後端部にヒンジ連結され前端部で上記容器本体と係合する蓋体と、上記容器本体の前端部に設けられ上記容器本体と蓋体との係合を解除しうる操作片とを備えた化粧料容器であって、上記操作片の容器本体側部に、左右一対の線状弾性体を、横方向に揃えて相対向する根元側を固着し、上記弾性体の先端を上記容器本体の前端部に当接させて上記弾性体を撓ませることによって、上記操作片を手前側に付勢させた状態で進退自在にしているという構成をとる。
【０００８】
すなわち、本発明の化粧料容器は、左右一対の線状弾性体の根元側を相対向させることにより、左右一対の線状弾性体の根元部と根元部との間に距離をおいている。このため、操作片への、指での押圧力に対しては、線状ばね片等の線状弾性体の両根元部の２箇所で支持するようになっている。その結果、操作片への、指での押圧部が中央部から左右のどちらかに少し外れたとしても、左右一対の線状弾性体のばね作用により、偏った押圧力が修正され、操作片の傾きは生じない。
【０００９】
【発明の実施の形態】
つぎに、本発明の実施の形態を図面にもとづいて詳しく説明する。
【００１０】
図１は、本発明の化粧料容器の一実施の形態を示している。この化粧料容器は、プラスチック製の容器本体１と、この容器本体１の後端部にヒンジ連結され前端部で上記容器本体１と係合するプラスチック製の蓋体２と、上記容器本体１の前端部に設けられ上記容器本体１と蓋体２との係合を解除しうるプラスチック製の操作片３とで構成されている。なお、図１において、３ａは操作片３の上板、３ｃは前板、４はヒンジ軸、５は鏡、１４は化粧皿収容凹部、１５はパフ収容凹部である。
【００１１】
上記容器本体１は、図２に示すように、その前端部に、手前側および上側が開放された取付凹部が形成されている。その取付凹部の奥面１ａには、左右対称の位置に、後述する操作片３に形成された線状の被係合部３２（図３参照、図３では、操作片３を斜め後方から見上げて図示している。）に外側横方向から係合する係合爪部１１が突出している。１１ａは爪先端部である。さらに、上記取付凹部の奥面１ａには、断面コ字状のガイド部１２が、左右に形成されている。この各ガイド１２には、図３に示す、操作片３の左右に形成された各一組のガイドリブ３３が遊合し、図１の状態において操作片３が前後に進退するときのガイド作用をする。また、上記取付凹部の奥面１ａの中央上部には、係合突条１３が横設されている。この係合突条１３は、蓋体２前端部に形成された係合爪２１（図１参照）と係合する。
【００１２】
上記操作片３について詳しく述べると、操作片３は、図３に示すように、上板３ａ，下板３ｂ，前板３ｃおよび両側板３ｄからなる奥面開放状の略箱形に形成されている。そして、線状ばね片３１は、操作片３の下板３ｂの左右両端縁の切り欠き凹部に一体に横方向に延びた状態で形成されている。この線状ばね片３１は、図４（下板３ｂから見た底面図）に示すように、根元部分３１ａ，中間部分３１ｂおよび先端部分３１ｃからなる略クランク状になっていて、図示のように、先端部分３１ｃは、下板３ｂの後端縁から少し突出しており、その先端は、尖鋭に形成されている。
【００１３】
また、奥面開放状略箱形の操作片３の開放部には、左右対称の位置に、前記容器本体１の取付凹部の奥面の左右に突設された係合爪部１１（図２参照）と係合する線状の被係合部３２が、上板３ａから下板３ｂに渡って架設されている。また、操作片３の前板３ｃは、中央部が徐々に突出する曲面に形成されており、その中央部が外観でわかるようになっている。また、操作片３の上板３ａの下面には、左右対称の位置に、操作片３の進退操作の際、前記容器本体１の前端部に突設されたガイド部１２（図２参照）の両側面を摺動する板状のガイドリブ３３が形成されている。また、上記上板３ａの中央部後方には、後述する蓋体２の前端部に突出された係合爪２１（図１参照）を通すための切り欠き凹部が形成されている。
【００１４】
そして、上記操作片３が容器本体１の前端取付凹部に取り付けられている状態では、図５（図１の要部の一部破断平面図）に示すように、各ばね片３１の先端は、上記容器本体１の前端取付凹部の奥面１ａに当接している。この当接により、上記ばね片３１が手前側に少し撓んで、ばね片３１に弾性力（矢印Ｃ）が働くようになり、上記操作片３が手前側に常時付勢された状態になっている。また、操作片３の進退操作時に容器本体１のガイド部１２の両側面を操作片３のガイドリブ３３が摺動するようになっており、操作片３に対する押圧方向が斜めであっても、操作片３を適正にガイドして後方向に後退させることができ、開蓋を確実に行なうことができるようになっている。
【００１５】
上記蓋体２には、図６（図１において閉蓋した状態を矢印Ｄ方向から見た断面部）に示すように、その前端部に、上記容器本体１の係合突条１３に着脱自在に係合する係合爪２１が垂設されている。この係合爪２１の手前側部分は、奥側に向かって下り傾斜の斜面２１ａに形成されている。
【００１６】
そして、開蓋する際には、上記操作片３を押圧して奥側（図示の右側）に後退させる。これにより、操作片３の上板３ａの中央部に形成された切り欠き凹部の後面３４は、上記係合爪２１の手前側の斜面２１ａを摺動しながら、その係合爪２１を押し上げる。その結果、容器本体１の係合突条１３と蓋体２の係合爪２１との係合が解除され、図７に示すように、開蓋する。このとき、操作片３の中央部を押圧しなくても、操作片３に傾きが生じないようになっている。
【００１７】
すなわち、上記化粧料容器では、操作片３の奥側部〔容器本体１側〕において、操作片３を手前側に付勢するための左右一対の線状ばね片３１の根元側を相対向させることにより、その根元部と根元部との間に距離をおいている。このため、図４に示すように、操作片３への押圧力（矢印Ａ）に対しては、左右一対のばね片３１の両根元部の２箇所で支持するようになる（矢印Ｂ１  ，Ｂ２  ）。そして、操作片３への押圧部が中央部から外れた場合には、ばね片３１のばね作用により、偏った押圧力（矢印Ａ）が修正される。その結果、操作片３に傾きが生じなくなる。
【００１８】
このように、この実施の形態の化粧料容器によれば、操作片３を手前側に付勢するための左右一対の線状ばね片３１の根元部と根元部との間に距離をおいているため、横方向に幅広の操作片３への指での押圧部が中央部から外れたとしても、その修正作用により、操作片３に傾きが生じない。
【００１９】
なお、上記左右一対のばね片３１の根元部と根元部との間の距離は、特に限定されるものではないが、１０ｍｍ（指先の幅程度）以上であることが、押圧操作の際に操作片３がより安定する点で好ましい。
【００２０】
つぎに、実施例について説明する。
【００２１】
【実施例１】
図２に示す操作片３と同様のものを、ＡＢＳを材料として射出成形した。そして、略クランク状のばね片３１をつぎのようなものとした。すなわち、断面を１．２ｍｍ×１．２ｍｍの正方形状、根元部分３１ａの突出長さ（断面中心での長さ）を２．０ｍｍ、中間部分３１ｂの長さ（断面中心での長さ）を９．０ｍｍ、先端部分３１ｃの長さ（断面中心での長さ）を２．５ｍｍ、操作片３の開放後面からの先端部分３１ｃの突出長さを２．３ｍｍ、左右一対のばね片３１の根元部と根元部との間の距離を４０．０ｍｍとした。そして、上記操作片３を容器本体１に取り付けた状態では、操作片３の先端が０．２ｍｍ手前側に撓むように、容器本体１の係合爪部１１と操作片３の被係合部３２とを形成した。なお、操作片３の横幅は６７．０ｍｍ、高さは５．０ｍｍ、板厚は１．２ｍｍ、前面の曲面は半径２１０．０ｍｍの円周面とした。
【００２２】
そして、実施例１の操作片３を容器本体１に取り付け、押圧操作すると、押圧部が中心部から外れても、操作片３が傾くことはなかった。また、押圧力は小さくても開蓋でき、指先の痛みはなかった。
【００２３】
【発明の効果】
以上のように、本発明の化粧料容器は、操作片を手前側に付勢するための左右一対の線状弾性体が、操作片の容器本体側部に、横方向に揃えられ相対向する根元側を固着して形成されていることにより、左右一対の弾性体の根元部と根元部との間に距離をおいている。このため、操作片に偏った押圧力が作用しても、上記弾性体の両根元部の２箇所で支持できるようになるとともに、線状弾性体のばね作用により修正することができるようになり、操作片に傾きが生じない。その結果、開蓋を確実に行なうことができるようになる。
【００２４】
また、本発明の化粧料容器において、上記弾性体が、略クランク状に形成されており、その根元側が上記操作片に固着され、上記略クランク状の先端が上記容器本体の前端部に当接されている場合には、上記弾性体を小さいスペースに簡単に形成することができる。
【００２５】
特に、本発明の化粧料容器において、上記左右一対の弾性体の根元部と根元部との間の距離が１０ｍｍ以上に設定されている場合には、操作片の押圧操作の際に、操作片がより安定する。
【００２６】
さらに、本発明の化粧料容器において、上記容器本体の前端部に左右一対のガイド部を所定間隔で突設させ、上記操作片の容器本体側の左右の端部側にそれぞれ上記各ガイド部の側面に摺動して操作片を進退させるときのガイドとなるガイドリブを形成している場合には、操作片への押圧方向が斜め方向であっても、操作片をガイドして後方向に後退させることができ、開蓋をより確実に行なうことができる。
【図面の簡単な説明】
【図１】本発明の化粧料容器の一実施の形態を示す斜視図である。
【図２】上記化粧料容器の容器本体の前端取付凹部を示す斜視図である。
【図３】上記化粧料容器の操作片を示す斜め後方から見上げた斜視図である。
【図４】上記操作片を示す底面図である。
【図５】上記操作片を容器本体に取り付け状態を示す一部が破断した平面図である。
【図６】上記化粧料容器の閉蓋状態を示す横から見た断面図である。
【図７】上記化粧料容器の開蓋操作を示す横から見た断面図である。
【図８】従来の化粧料容器を示す斜視図である。
【図９】従来の化粧料容器における操作片を示す底面図である。
【符号の説明】
３  操作片
３１  ばね片
【図１】
2004261503.tif 000003
【図２】
2004261503.tif 000004
【図３】
2004261503.tif 000005
【図４】
2004261503.tif 000006
【図５】
2004261503.tif 000007
【図６】
2004261503.tif 000008
【図７】
2004261503.tif 000009
【図８】
2004261503.tif 000010
【図９】
2004261503.tif 000011